(57)【要約】【課題】大径のスパウトを閉じる閉栓キャップに、小径の抽出用具の装着で開口できる部分を別部材を用いずに構成して、合成樹脂材の成形で安価にこの閉栓キャップが得られるようにする。【解決手段】スパウトＡの内周面に下部外周面を水密に接しさせてスパウトに差し入れできる外筒部２と、外筒部２の外周に位置しスパウト上縁に被せ付けして外筒部２をスパウトＡに固定する取付部３と、外筒部２の上端側に位置した天面部４の中央を下方に筒状に凹陥し、挿入端を刃先とした内容物抽出用接続管が差し入れできる内筒部５とを備えて、外筒部２と取付部３と天面部４と内筒部５とを一体とし、内筒部５の下部を、内容物抽出用接続管の挿入端で破断可能な薄肉部１０を介して一体に連続する円盤状閉鎖板９で閉じた。【選択図】図２
2010120658.tif 000002
【特許請求の範囲】
【請求項１】
柔軟容器に設けられているスパウトを閉じる閉栓キャップにおいて、
スパウトの内周面に下部外周面を水密に接しさせて前記スパウトに差し入れできる外筒部と、前記外筒部の外周に位置しスパウト上縁に被せ付けして前記外筒部をスパウトに固定する取付部と、前記外筒部の上端側に位置した天面部の中央を下方に筒状に凹陥し、挿入端を刃先とした内容物抽出用接続管が差し入れできる内筒部とを備えて、前記外筒部と取付部と天面部と内筒部とが一体とされ、
前記内筒部の下部が、前記内容物抽出用接続管の挿入端で破断可能な薄肉部を介して一体に連続する円盤状閉鎖板で閉じられていることを特徴とするスパウト閉栓キャップ。
【請求項２】
上記円盤状閉鎖板と内筒部との間に位置する上記薄肉部は細幅の環形状とされ、上記内容物抽出用接続管の挿入端の径と薄肉部の経とが同じである請求項１に記載のスパウト閉栓キャップ。
【請求項３】
上記円盤状閉鎖板の外周面から上記薄肉部を介して内筒部の内周面に亘って断面形状を下に凸のＶ溝が形成され、該Ｖ溝の内方側の傾斜面と上記内容物抽出用接続管の挿入端における内方側の傾斜面とが同一の傾斜角度である請求項１または２に記載のスパウト閉栓キャップ。
【発明の詳細な説明】
【技術分野】
【０００１】
本発明は飲料などの液体を収容するための柔軟容器に設けられているスパウトに取り付けてこれを閉じるための閉栓キャップであって、柔軟容器に収容された内容物を抽出するための内容物抽出用の接続管の装着によって一部に開口ができて前記接続管による内容物抽出ができるようにした閉栓キャップに関するものである。
【背景技術】
【０００２】
従来から業務用飲料などの液体を収容する用途として、合成樹脂フィルムの貼り合わせた袋本体に、閉鎖されていないスパウトを取り付けた柔軟容器が多く流通していて、このような柔軟容器を用いる場合にはスパウトを通して内容物を充填した後、そのスパウトに閉栓キャップを被せ付けて閉栓して液体製品の出荷が行なわれている。このような柔軟容器のスパウトにセットする閉栓キャップにおいては、液体製品から内容物を取り出す作業者の手間を軽減するために、一部に開口できる部分が設けられている。
例えば、閉栓キャップ自体に開孔を有していて、この開孔部分を容器本体側となる下方から金属層を有する積層フィルムで覆って封止するとともに、外方側から開孔を蓋部材で開閉可能に覆うようにしたものがある。そして、柔軟容器から内容物の液体を取り出す際に、蓋体を開いて専用の抽出用具を装着し、その装着する用具によって積層フィルムを破断して開孔を開き、内容物の抽出がその専用の用具により行なえるように工夫されていた。
【０００３】
ところで、上述した閉栓キャップでは別部材のバリア性フィルムを開孔に取り付けてその開孔を塞いでいるため、閉栓キャップの製造にキャップの成型工程と、シール装置を用いてバリア性フィルムの取り付けを行なう工程との複数の工程があって簡略化できず、製造コストを低減し難い。この点から特許文献１にも示されているように閉栓キャップの下部全体を薄肉部を介した閉鎖板で一体に閉鎖した構造とし、上記抽出用の専用用具で薄肉部を破断して開口できるようにすることが考えられている。
【特許文献１】特公昭６４−０７０３６７号公報
【発明の開示】
【発明が解決しようとする課題】
【０００４】
しかしながら、業務用途の柔軟容器に用いるスパウトの開口は大径であって、形状がほぼ一定の規格品であるため、つぎの問題が解消できない。つまり、閉栓キャップには、このスパウトの内周面に水密に接して嵌め入れる筒状の部分があり、この筒状部分の下部などに上記閉鎖板を配することになるが、その筒状部分も径が大径となる。一方、装着する抽出用の専用用具は定量抽出に適応した小径のものであることから、閉栓キャップに大径の閉鎖板を薄肉部を介して一体に設けるという構成は採用することができない。よって、抽出の専用用具に応じた小径の開孔を後付けのフィルムで閉じた従来からの閉栓キャップを用いるのが現状であった。
本発明は上記事情に鑑み、大径のスパウトを閉じる閉栓キャップに、小径の抽出用具の装着で開口できる部分を別部材を用いずに構成して、合成樹脂材の成形で安価にこの閉栓キャップが得られるようにすることを目的とする。
【課題を解決するための手段】
【０００５】
本発明は上記課題を考慮してなされたもので、柔軟容器に設けられているスパウトを閉じる閉栓キャップにおいて、スパウトの内周面に下部外周面を水密に接しさせて前記スパウトに差し入れできる外筒部と、前記外筒部の外周に位置しスパウト上縁に被せ付けして前記外筒部をスパウトに固定する取付部と、前記外筒部の上端側に位置した天面部の中央を下方に筒状に凹陥し、挿入端を刃先とした内容物抽出用接続管が差し入れできる内筒部とを備えて、前記外筒部と取付部と天面部と内筒部とが一体とされ、前記内筒部の下部が、前記内容物抽出用接続管の挿入端で破断可能な薄肉部を介して一体に連続する円盤状閉鎖板で閉じられていることを特徴とするスパウト閉栓キャップを提供して、上記課題を解消するものである。
【０００６】
そして、本発明において、上記円盤状閉鎖板と内筒部との間に位置する上記薄肉部は細幅の環形状とされ、上記内容物抽出用接続管の挿入端の径と薄肉部の経とが同じであることが良好である。
また、本発明において、上記円盤状閉鎖板の外周面から上記簿内部を介して内筒部の内周面に亘って断面形状を下に凸のＶ溝が形成され、該Ｖ溝の内方側の傾斜面と上記内容物抽出用接続管の挿入端における内方側の傾斜面とが同一の傾斜角度であることが良好である。
【発明の効果】
【０００７】
請求項１の発明によれば、スパウトの内径に対麻する外筒部の径に拘わることなく、内筒部にて内容物抽出用接続管を挿し入れできる部分が得られ、その内容物抽出用接続管を挿し入れて破断できる薄肉部を有した閉鎖部分のある閉栓キャップを、従来のようなフィルムなどの別部材を用いることなく合成樹脂材の一回の成形で得ることができるようになる。よって、閉栓キャップを安価に製造できる。
【０００８】
請求項２の発明によれば、薄肉部に内容物抽出用接続管の挿入端を当てて押し込むことで、薄肉部の全てが内容物抽出用接続管の挿入端で切断されるようになり、その薄肉部の破断による円盤状閉鎖板の除去が確実になる。
【０００９】
請求項３の発明によれば、内容物抽出用接続管の挿入端が薄肉部の位置に対してずれたとしてもＶ溝の内方側の傾斜面で前記挿入端が薄肉部に案内され、その挿入端が確実に薄肉部に対応し、挿入端による薄肉部の破断で確実に円盤状閉鎖板を除去して、開口が得られる。
【発明を実施するための最良の形態】
【００１０】
つぎに本発明を図示の実施の形態に基づいて詳細に説明する。
図中１はスパウトＡに取り付けてそのスパウトＡを閉じることのできるスパウト閉栓キャップで、該スパウト閉栓キャップ１はポリエチレン樹脂などの合成樹脂材から成形されている。なお、スパウトＡもポリエチレン樹脂などの合成樹脂材から成形されている。
図２に示すように、スパウト閉栓キャップ１は、外筒部２と、この外筒部２の外周に亘って位置する環状の取付部３と、前記外筒部２の上端側に位置する天面部４と、前記天面部４の中央を下方に筒状にして凹陥した内筒部５とを備え、この外筒部２と取付部３と天面部４と内筒部５とが一体にして成形されている。
【００１１】
前記外筒部２の下部はスパウトＡに嵌め入れられる部分であり、この下部の外周面がスパウトＡの内周面に水密にして接するようにしている。
また、上記取付部３は、外筒部２の外周面から側方に向けてフランジ６を張り出し、そのフランジ６の下面から外筒部２より大径とした外周壁７を下垂してなるものであり、スパウト閉栓キャップ１をスパウトＡに取り付けるときに、外筒部２の下部がスパウトＡの内側に嵌まるとともに、この外筒部２の下部と外周壁７との間にスパウトＡの上縁が入り込み、そのスパウトＡの上縁を取付部３と外筒部２とで咥えてスパウトＡに係上し、外筒部２をスパウトＡに固定させることができるように設けられている。
なお、前記外周壁７の内面に亘って上下二つの段部８が設けられており、本スパウト閉栓キャップ１をスパウトＡに取り付けた後で、このスパウト閉栓キャップ１が上方に引っ張られて上方に移動することがあった場合に、スパウトＡの上縁外周部分で側方に向けて僅かに凸となるアゴ部Ｂに上段の段部８が係上して抜けを防止するように設けられている。下段の段部は、内容物未充填の柔軟容器に異物が柔軟容器内に入るのを防止するために上記スパウトに本スパウト閉栓キャップが仮付けできるようにするためのものであり、強い嵌合とならないように設けられている。そして内容物の充填に際して一旦取り外され、その後に正規の取付圧が加えられる状態で本スパウト閉栓キャップ１がスパウトに強く嵌め付けられる。
【００１２】
外筒部２の上端側は上記天面部４とその天面部４の中央にある内筒部５とで閉じられている。内筒部５は、スパウトＡを有する柔軟容器に収容された液体を抽出するために使用する内容物抽出用接続管を挿し入れる部分である。そして、この内筒部５は図２の断面で示されているように、下方側が若干先細りするテーパ状に形成され、さらには、その内筒部５の下部内方に円盤状閉鎖板９が位置し、内筒部５の下端に薄肉部１０を介して前記円盤状閉鎖板９が一体に成形されることで、この内筒部５の下部を閉じている。
このように外筒部２の上端側が天面部４と内筒部５とで閉じられ、内筒部５自体も上述したように下端側で上記円盤状閉鎖板９により閉じられていることから、このスパウト閉栓キャップ１をスパウトＡに取り付けることで、例えば内容物が充填された柔軟容器のスパウトが閉じられ、洩れなく液体を収容した液体製品とすることができる。
さらにこのスパウト閉栓キャップ１はスパウトに取り付けた状態のまま、一部を所要の用具を用いて開口できる部分を備えている。その点について以下に説明する。
【００１３】
上記内筒部５の下端側が上述した開口できる部分であり、上記薄肉部１０が破断できるようにされているものであって、この薄肉部１０は、刃先とされた内容物抽出用接続管Ｃの挿入端Ｄ（下端）が対応するように内容物抽出用接続管Ｃを押し下げたときに挿入端Ｄで破断できる（図３、図４）。
この薄肉部１０の全周が破断されることにより、円盤状閉鎖板９が内筒部５から除去され、開口できる。なお、円盤状閉鎖板９は容器本体側に落下することになるが、内容物抽出用接続管Ｃの内径に比べて円盤状閉鎖板９の径が大きく、円盤状閉鎖板９が吸い出されることはない。
さらに、薄肉部１０は細幅の環形状とされているとともに、内容物抽出用接続管Ｃの挿入端Ｄの径とこの薄肉部１０の径とが同じであり、挿入端Ｄの全周に薄肉部１０が対応する。
そして、例えば、図４に示すように、内容物抽出用接続管Ｃに設けられているフランジ状のストッパーが天面部４に当接して押し下げ不能となる位置まで押し下げられる過程で、降下する挿入端Ｄで薄肉部１０の全てが破断され、これによってより確実に円盤状閉鎖板９が除去されて、内筒部５の下端に開口が形成され、その開口から容器本体に向けて内容物抽出用接続管Ｃが臨むようにしている。
なお、一例として、上記スパウトＡの内側に入れる外筒部２の下部の外径を３０ｍｍとし、内筒部５の下端側の内径（上記薄肉部１０の位置での内径）を１０ｍｍとすることができる。
薄肉部１０はその幅を０．２〜０．６ｍｍ、厚さ０．２５ｍｍとすることが良好である。薄肉部１０の幅をこの範囲とすることが良好である理由は、幅が０．２ｍｍより狭い場合では内容物抽出用接続管Ｃによる破断が困難になる。また、０．６ｍｍより広い場合、内容物抽出用接続管Ｃで破断する際に力が分散したりして破断が困難になる。そして、外筒部２の外径、内筒部５の内径、薄肉部１０の幅を前述の値としたときにその薄肉部１０の厚さを０．２５ｍｍとしているが、この場合の薄肉部１０での厚さが厚すぎる（０．２５ｍｍより厚い場合）と内容物抽出用接続管Ｃで破断できなくなり、薄すぎる（０．２５ｍｍより薄い場合）と成形性が悪くなって成形自体ができなくなるという問題があるためである。
【００１４】
上記円盤状閉鎖板９の外周面１１はすそ広がりする傾斜の面としている（図２）。そして、前記円盤状閉鎖板９の外周面１１から上記薄肉部１０を介して内筒部５の内周面１２に亘って断面形状を下に凸としたＶ溝１３が形成されている。前記Ｖ溝１３の内方側の傾斜面１３ａ（即ち、円盤状閉鎖板９の外周面１１）は、上記内容物抽出用接続管Ｃの挿入端Ｄの尖頭部分Ｆにおける内方側の傾斜面Ｅと傾斜角度が同一となるように設けられている。
これによって、内容物抽出用接続管Ｃを内筒部５に差し入れた時に、挿入端Ｄの尖頭部分Ｆが薄肉部１０に対して若干位置ずれしている場合でも、内容物抽出用接続管Ｃを押し下げたときに尖頭部分Ｆが外周面１１（傾斜面１３ａ）に案内されて確実に薄肉部１０に相対するようになり、その薄肉部１０を適正に破断することができるようにしている。
【００１５】
なお、図１において符号１４はオーバーキャップであり、上記内容物抽出用接続管を取り付ける前にスパウト閉栓キャップ１の内筒部５にごみの落ち込みなどを防止するために被せ付けるものである。
【００１６】
上述した形態においてスパウト、スパウト閉栓キャップをポリエチレン樹脂で製造し、このスパウト閉栓キャップで閉じた柔軟容器に収容している内容物が接する部材を全てポリエチレン樹脂で製造されたものとすることで、乳等省令に対応するようになる。したがって、内容物が牛乳などの乳飲料の場合に使用可能となる。また、上記オーバーキャップもポリエチレン樹脂にて製造することも可能である。
【図面の簡単な説明】
【００１７】
【図１】本発明に係るスパウト閉栓キャップの一例を示す説明図である。
【図２】スパウトに取り付けた一例を断面で示す説明図である。
【図３】一例における内筒部に内容物抽出用接続管を挿入した状態を断面で示す説明図である。
【図４】一例における内筒部の下部が開口された状態を断面で示す説明図である。
【符号の説明】
【００１８】
１…スパウト閉栓キャップ
２…外筒部
３…取付部
５…内筒部
７…外周壁
９…円盤状閉鎖板
１０…薄肉部
１１…傾斜面
１３…Ｖ溝
１３ａ…傾斜面
１４…オーバーキャップ
Ａ…スパウト
Ｃ…内容物抽出用接続管
Ｄ…挿入端
Ｅ…挿入端の傾斜面
Ｆ…尖頭部分
【図１】
2010120658.tif 000003
【図２】
2010120658.tif 000004
【図３】
2010120658.tif 000005
【図４】
2010120658.tif 000006